(57)【要約】【課題】ショーケースに装備した可動棚を庫内の押し込み位置に掛止保持するストッパ機構を改良してその機能，操作性の改善を図る。【解決手段】ケース本体の庫内に前方への引出しが可能なスライド式の可動棚を装備し、かつ前記可動棚はその左右側縁に沿って庫内背面に支持した棚ブラケットにスライドレールを介して架設連結したショーケースにおいて、前記可動棚の左右側縁に配したサイドフレーム４の先端側に、係合溝部５ａ，把手部５ｂ，ガイド翼部５ｃを形成した板金部材になるオートロック式のストッパ５を段付きネジ６を介して枢支するとともに、該ストッパに対向して棚ブラケット２の先端に上向きの爪部２ｂを形成し、可動棚を庫内に押し込んだ状態でストッパ５を棚ブラケットの先端爪部２ｂに掛止して棚板を押し込み位置に係止保持するようにする。【選択図】        図１
2007029323.tif 000002
【特許請求の範囲】
【請求項１】
ケース本体の庫内に前方への引出しが可能なスライド式の可動棚を装備したショーケースであって、前記可動棚はその左右側縁に沿って庫内背面に支持した棚ブラケットの間にスライドレールを介して架設連結したものにおいて、
前記可動棚の左右側縁に配したサイドフレームの先端側にオートロック式のストッパを付設するとともに、該ストッパに対向して棚ブラケットの先端に上向きの爪部を形成し、可動棚を庫内に押し込んだ状態で前記ストッパを棚ブラケットの先端爪部に掛止して棚を押し込み位置に係止保持するようにしたことを特徴とするショーケース。
【請求項２】
請求項１記載のショーケースにおいて、可動棚のストッパは、後端をサイドフレームの側面に段付きネジを介して揺動自在に枢支したレバー形の係合溝付き板金部材になり、かつその前部にはロック釈放用の把手部,後部には斜め上方に延在して棚ブラケットの上に乗り上げるガイド翼部を形成したことを特徴とするショーケース。
【発明の詳細な説明】
【技術分野】
【０００１】
本発明は、ケース本体の庫内に前方への引出しが可能なスライド式可動棚を装備したショーケースに関し、詳しくは可動棚を押し込み位置に掛止するストッパ機構に係わる。
【背景技術】
【０００２】
庫内に上下段に並ぶ商品陳列棚を搭載した多段形のショーケースについて、商品陳列棚を前方へ引出し可能なスライド式の可動棚として商品を陳列，補給する作業の利便性を高めるようにしたショーケースが周知であり、この可動棚はその棚板の左右両サイドに沿ってケース本体の背面に固定した棚ブラケットの間にスライドレールを介して架設するようにしている。また、前記可動棚を庫内への押し込み位置に掛止保持する手段として、棚板の裏面中央に板バネ式のストッパを付設するとともに、この板バネトッパに対向して左右の棚ブラケット間に掛け渡したフレームの上に係合部を設け、可動棚を庫内に押し込んだ位置で前記ストッパを係合部に掛止するようにしたショーケースの棚装置が知られている（例えば、特許文献１参照）。
【特許文献１】特開平５−１１５３４４号公報
【発明の開示】
【発明が解決しようとする課題】
【０００３】
ところで、前記特許文献１に開示されている可動棚のストッパ機構は、構造，機能，操作性の面で次記のような問題点がある。すなわち、
（１）ストッパを構成するバネ鋼は一般の鋼材のように簡単に板金加工ができず、専門メーカーへの特注品となるために部品がコスト高となる。
（２）また、バネ鋼材の弾性疲労から長期繰り返し使用の間にストッパが係合部から外れ易くなり、可動棚を庫内の押し込み位置に掛止したショーケースの稼働状態でも、庫内の奥に並ぶ商品を取り出そうと客が棚板を手前に引いただけでストッパが簡単に外れて棚が不測に前方へ移動してしまうおそれがある。
（３）また、ばね鋼材の撓み性を利用するストッパは一般的な塗装ができず（塗装しても使用中の操作の繰り返しで塗装面が剥がれてしまう）、またばね鋼材を剥き出しのまま棚に組み付けたのでは見栄えが悪く、ショーケースの意匠性を損なう。
（４）さらに、ストッパを棚板の裏面中央に配備し、これに対向する係合部を左右の棚ブラケット間に架設したフレームに設けて可動棚の下面側に配置した構成では、一段下に並ぶ可動棚に積み上げた商品がストッパ機構に干渉してその商品収納スペースが制限を受けるほか、商品がストッパの板バネを押し上げて係合が外れるおそれもある。さらに、ストッパの釈放操作面でも、下段の可動棚に多量の商品を積み上げた状態では商品が邪魔になって上段棚のストッパを手動で釈放する操作が困難になる使い勝手性の問題もある。
【０００４】
本発明は上記の点に鑑みなされたもので、その目的は前記課題を解決して可動棚のストッパ機能，操作性の向上が図れるように改良したショーケースを提供することにある。
【課題を解決するための手段】
【０００５】
上記目的を達成するために、本発明によれば、ケース本体の庫内に前方への引出しが可能なスライド式の可動棚を装備し、かつ前記可動棚はその左右側縁に沿って庫内背面に支持した棚ブラケットの間にスライドレールを介して架設連結したショーケースにおいて、
前記可動棚の左右側縁に配したサイドフレームの先端側にオートロック式のストッパを付設するとともに、該ストッパに対向して棚ブラケットの先端に上向きの爪部を形成し、可動棚を庫内に押し込んだ状態で前記ストッパを棚ブラケットの先端爪部に掛止して棚を押し込み位置に係止保持するようにし（請求項１）、そのストッパ機構は具体的に次記のような態様で構成する。
すなわち、前記可動棚のストッパは、後端をサイドフレームの側面に段付きネジを介して揺動自在に枢支したレバー形の係合溝付き板金部材になり、かつその前部にはロック釈放用の把手部,後部には斜め上方に延在して棚ブラケットの上に乗り上げるガイド翼部を形成する（請求項２）。
【発明の効果】
【０００６】
上記構成のストッパ機構によれば、ストッパ部材に特殊なバネ鋼材を用いることなく、一般的な鋼板を板金加工して製作できるので部品コストの低減化が図れる。また、ストッパを可動棚の左右側縁に設けたサイドフレームの前端側に設けて、棚ブラケットに形成した爪部に掛止するようにしたので、そのストッパが一段下に並ぶ可動棚に積み上げた商品に干渉することがなく、かつ下段棚に積み上げた商品に邪魔されることなくストッパの釈放操作をショーケースの前方から楽に行える。
さらに、ストッパを請求項２のような構造のオートロック式ストッパで構成したことにより、ストッパの掛止，釈放の操作性が向上する。
【発明を実施するための最良の形態】
【０００７】
以下、本発明の実施の形態を図１〜図５に示す実施例に基づいて説明する。
先ず、本発明の実施例によるスライド式商品陳列棚の全体構造を図２〜図４に示す。各図において、１は可動棚、２は可動棚１の棚板左右側縁に沿ってショーケース本体の庫内背面に固定した棚ブラケット、３はブラケット２と可動棚２との間を連結するスライドレール（外レール（固定レール），内レール（可動レール），および中レールの３レールメンバーにボールベアリングを組合せたダブルスライド式レール）、４はスライドレール３の可動レールメンバーを可動棚２の裏面側に固定するサイドフレーム、５が本発明により前記サイドフレーム４の先端側に付設したストッパであり、図４に実線で示した可動棚１の押し込み状態ではストッパ５が棚ブラケット２の先端爪部に掛止して可動棚１をこの位置に係止保持し、この位置でストッパ５を釈放することで可動棚１を鎖線で示す引出し位置に引き出すことができるようにしている。なお、図中のＬは棚板の奥行き寸法、Ｔはトラベル距離（棚板の移動ストローク量）、Ｐは可動棚１の移動方向を表している。
【０００８】
ここで、前記のストッパ５は、図１（ａ）の分解斜視図で示すように上面の側部に係合溝部５ａを形成し、該溝部５ａを挟んで前端側にはカール状の把手部５ｂを、後部側には斜め上方に延在するガイド翼部５ｃを形成した板金品で、その側部に形成したアームの後端には後記する段付きネジを嵌挿するねじ通し穴５ｅを穿孔した構造になり、可動板２のサイドフレーム４の先端側に穿孔したネジ穴４ｂに段付きネジ６を螺合してストッパ５を支点として傾動自在に枢支している。なお、サイドフレーム４の先端にはストッパ５を略水平姿勢に下支えする台座４ａが形成されている。一方、前記ストッパ５に対向して棚ブラケット２の先端側上縁には凹溝２ａを切欠いて上向きの爪部２ｂが形成されている。
上記構成で、図４に示した可動棚１を引出し位置から庫内へ押し込むと、そのストローク終端位置でストッパ５が図１（ｂ）のように棚ブラケット２の爪部２ｂに掛止して可動棚１をこの位置にロックする。なお、ストッパ掛止状態を図５（ａ）〜（ｃ）に示す。
【０００９】
すなわち、可動棚１を引出し位置から庫内に押し込む際に、その押し込み行程途上でストッパ５が棚ブラケット２の先端にさしかかると、前記したガイド翼部５ｃが棚ブラケット２の上縁に乗り上げて進み、ガイド翼部５ｃが爪部２ｂを乗り越えてその背後の凹溝２ａに落ち込むと、同時にストッパ５の係合溝部５ａが棚ブラケット２の爪部２ｂに係止してオートロックが掛かり、可動棚１がこの押し込み位置に係止保持される。この状態では、可動棚１を手前に引っ張っても、ストッパ５が外れて前方に移動することはない。
一方、可動棚１を庫内から前方に引き出す場合には、ショーケースの前方から可動棚１の左右両サイドに配したストッパ５の把手部５ｂに指を掛けて上方に引き上げる。これにより、段付きネジ６をヒンジ軸としてストッパ５が上方に傾動して係合溝部５ａが棚ブラケット２の爪部２ｂから抜け出し、そのまま若干手前に引くことでストッパ５が釈放されて、可動棚１の係止状態が解除される。続いて、棚板を手前に引くことで可動棚１が図４の鎖線で示す引出し位置に移動する。
【００１０】
また、上記の構成では、ストッパ５が可動棚１の側縁に配したサイドフレーム４に組み付けられているので可動棚１の下面側は自由空間となり、先記特許文献１のようにストッパ機構が一段下に並ぶ可動棚の積み上げた商品と干渉するおそれはなく、また下段の棚に多量の商品を積み上げた状態でもこの商品に邪魔されることなくスショーケースの前方からストッパ５を釈放操作することができる。
【図面の簡単な説明】
【００１１】
【図１】本発明の実施例によるストッパ機構の構成図で、（ａ）は主要部品の分解斜視図、（ｂ）はストッパの掛止状態を表す斜視図
【図２】図１のストッパ機構を装備したスライド式商品陳列棚の正面図
【図３】図２の商品陳列棚の左側縁部分を棚板の裏面側から見た背面図
【図４】図２の商品陳列棚について押し込み，引出し位置を併記した側面図
【図５】図２の商品陳列棚を棚ブラケットに掛止した状態を表す図で、（ａ）は図３に対応する要部拡大図、（ｂ），（ｃ）は（ａ）をガイドレールの内側，外側から見た側面図
【符号の説明】
【００１２】
１    可動棚
２    棚ブラケット
２ｂ  爪部
３    スライドレール
４    棚板のサイドフレーム
５    ストッパ
５ａ  係合溝部
５ｂ  把手部
５ｃ  ガイド翼部
６    段付きネジ（枢軸）
【図１】
2007029323.tif 000003
【図２】
2007029323.tif 000004
【図３】
2007029323.tif 000005
【図４】
2007029323.tif 000006
【図５】
2007029323.tif 000007